【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】
【請求項１】
支持体に転写箔が一定以上の貼り付け力をもって接着されている熱転写シートをカード上に熱転写する工程で、予め少なくとも転写箔がカードと同寸法か小さい寸法に切断されている熱転写シートの転写箔をカードと密着させ熱を加えて熱転写し、その後支持体を転写箔から剥離することを特徴とする箔の転写方法。
【請求項２】
支持体に転写箔が一定以上の貼り付け力をもって接着されている熱転写シートをカード上に熱転写する工程で、熱転写シートの転写箔とカードを密着させ熱を加えて熱転写を行い、カードの周囲に沿って転写箔を切断した後に支持体を転写箔から剥離することを特徴とする箔の転写方法。
【請求項３】
支持体に転写箔が一定以上の貼り付け力をもって接着されている熱転写シートをカード上に熱転写する工程で、熱転写シートの転写箔とカードを密着させて熱を加えて熱転写を行ない、転写箔を切断しながら支持体を剥離しカード上にのみ転写箔を密着させることを特徴とする箔の転写方法。
【請求項４】
支持体に転写箔が一定以上の貼り付け力を持って接着されている熱転写シートをカード上に熱転写する工程で、熱転写シートの転写箔とカードを密着させて熱を加えて熱転写を行い、転写された転写箔から支持体を剥離しながら、同時に支持体と転写箔の貼り付け力によって転写箔をカード周囲に沿って破断させながらカード上のみに転写箔を密着させることを特徴とする箔の転写方法。
【請求項５】
前記熱転写後、支持体を剥離する前にカードの周囲の一部の転写箔を切断し、その後に支持体を剥離することを特徴とする請求項４に記載の箔の転写方法。
【請求項６】
前記支持体を剥離した最終工程で、カードの検査工程を設けたことを特徴とする請求項１乃至請求項５のいずれか１項に記載の箔の転写方法。
【請求項７】
前記熱転写シートの少なくとも転写箔が、カードの幅と同寸法かもしくは小さいことを特徴とする請求項４に記載の箔の転写方法。
【請求項８】
前記支持体の剥離の剥がし始めから剥がし終わりまでに剥離位置を規制するために剥離の終わった支持体を、搬送方向に対してある角度で方向を変えるための構造物を有することを特徴とする請求項４に記載の箔の転写方法。
【請求項９】
前記構造物に剥離が終わった支持体が追従するように張力を加えることを特徴とする請求項８に記載の箔の転写方法。
【請求項１０】
前記張力を一定値以上にすることで、搬送方向のカード端部に沿って転写箔を破断させることを特徴とする請求項９に記載の箔の転写方法。
【請求項１１】
前記構造物が摩擦抵抗を減らすために丸棒、または回転ローラである
ことを特徴とする請求項８に記載の箔の転写方法。
【請求項１２】
前記熱転写シートに張力を加えながら搬送ライン上方に引き上げ、前記転写箔を破断させ、同時にカードの内側方向に支持体から転写箔を剥離することを特徴とする請求項４に記載の箔の転写方法。
【請求項１３】
剥し終わり部で熱転写シートを、搬送ライン上に持ち上げて転写箔を破断させることを特徴とする請求項１２に記載の箔の転写方法。
【請求項１４】
熱転写シートとカードを搬送ライン上に一度持ち上げ、カードのみが搬送ライン上に戻る力を利用して転写箔を破断させることを特徴とする請求項１２に記載の箔の転写方法。
【請求項１５】
カードを連続して搬送、熱転写し、支持体を剥離した後にカードとカードを引き離すことで、連続で転写された転写箔を破断することを特徴とする請求項４に記載の箔の転写方法。
【請求項１６】
対ローラの間に、支持体を剥離した転写箔とカードを挟んで搬送し、前記対ローラはカードの全長以下の間隔で配置され、上流側の対ローラに対して下流側の対ローラを増速して転写箔を破断させることを特徴とする請求項１５に記載の箔の転写方法。
【請求項１７】
剥がし終わり部でカードを、搬送ライン上に持ち上げて転写箔を破断させることを特徴とする請求項１６に記載の箔の転写方法。
【請求項１８】
カードの剥がし終わり部において転写箔を破断させ、剥離を終了させるためにカードと未剥離部の熱転写シート間に張力を加えることを特徴とする請求項４に記載の箔の転写方法。
【請求項１９】
張力を得るためにカードと未剥離部の熱転写シート間に速度差を設けることを特徴とする請求項１８に記載の箔の転写方法。
【請求項２０】
対ローラの間にカードを挟んで搬送し、前記対ローラはカードの全長以下の間隔で配置され、上流側の対ローラに対し下流側の対ローラの搬送速度を増速させ、その間で剥離を行うことで張力を得ることを特徴とする請求項１８に記載の箔の転写方法。
【請求項２１】
カード進行方向に対し垂直方向のカードの先端と後端を剥離、破断するときにカード端部の長さの転写箔を一度に破断することのないように、熱転写シートに対してカードを斜めに搬送し、支持体を剥離することを特徴とする請求項４に記載の箔の転写方法。
【請求項２２】
カード進行方向に対し垂直方向のカードの先端と後端を剥離、破断するときにカード端部の長さの転写箔を一度に破断することのないように、熱転写シートに対して剥離バーを斜めに設置し、支持体を斜めに剥離することを特徴とする請求項４に記載の箔の転写方法。
【手続補正２】
【補正対象書類名】明細書
【補正対象項目名】００１３
【補正方法】変更
【補正の内容】
【００１３】
請求項４に記載の発明は、『支持体に転写箔が一定以上の貼り付け力を持って接着されている熱転写シートをカード上に熱転写する工程で、熱転写シートの転写箔とカードを密着させて熱を加えて熱転写を行い、転写された転写箔から支持体を剥離しながら、同時に支持体と転写箔の貼り付け力によって転写箔をカード周囲に沿って破断させながらカード上のみに転写箔を密着させることを特徴とする箔の転写方法。』である。


【手続補正３】
【補正対象書類名】明細書
【補正対象項目名】００１４
【補正方法】変更
【補正の内容】
【００１４】
この請求項４に記載の発明によれば、熱転写シートの転写箔とカードを密着させて熱を加えて熱転写を行い、転写された転写箔から支持体を剥離しながら、同時に支持体と転写箔の貼り付け力によって転写箔をカード周囲に沿って破断させながらカード上のみに転写箔を密着させ、転写箔を切断する部材を用いることなく、カードの外側にバリとして残ることがなく支持体を転写箔から剥離し、カードに保護層を設けることが可能である。


【手続補正４】
【補正対象書類名】明細書
【補正対象項目名】００３９
【補正方法】変更
【補正の内容】
【００３９】
請求項１７に記載の発明は、『剥がし終わり部でカードを、搬送ライン上に持ち上げて転写箔を破断させることを特徴とする請求項１６に記載の箔の転写方法。』である。


【手続補正５】
【補正対象書類名】明細書
【補正対象項目名】００４０
【補正方法】変更
【補正の内容】
【００４０】
この請求項１７に記載の発明によれば、剥がし終わり部でカードを、搬送ライン上に持ち上げて転写箔を破断させることで、カードの外側にバリとして残ることがなく支持体を転写箔から剥離し、カードに保護層を設けることが可能である。


【手続補正６】
【補正対象書類名】明細書
【補正対象項目名】００４４
【補正方法】変更
【補正の内容】
【００４４】
この請求項１９に記載の発明によれば、張力を得るためにカードと未剥離部の熱転写シート間に速度差を設けることで、転写箔に引っ張り方向の力を作用させることで剥離する前に引っ張り破断を行ない、カードの外側にバリとして残ることがなく支持体を転写箔から剥離することができる。


【手続補正７】
【補正対象書類名】明細書
【補正対象項目名】００８１
【補正方法】変更
【補正の内容】
【００８１】
請求項４に記載の発明では、熱転写シートの転写箔とカードを密着させて熱を加えて熱転写を行い、転写された転写箔から支持体を剥離しながら、同時に支持体と転写箔の貼り付け力によって転写箔をカード周囲に沿って破断させながらカード上のみに転写箔を密着させ、転写箔を切断する部材を用いることなく、カードの外側にバリとして残ることがなく支持体を転写箔から剥離し、カードに保護層を設けることが可能である。


【手続補正８】
【補正対象書類名】明細書
【補正対象項目名】００９４
【補正方法】変更
【補正の内容】
【００９４】
請求項１７に記載の発明では、剥がし終わり部でカードを、搬送ライン上に持ち上げて転写箔を破断させることで、カードの外側にバリとして残ることがなく支持体を転写箔から剥離し、カードに保護層を設けることが可能である。